(57)【要約】【課題】  成形効率を著しく向上することが可能な成形方法を提供する。【解決手段】  押出機より押出された溶融状態の第１のシート状樹脂および第２のシート状樹脂をそのまま下方に垂下させて分割金型間に配置する。一方の分割金型と第１シート状樹脂の間の空気を減圧することによって第１シート状樹脂を一方の分割金型の金型キャビティに密着させるとともに、他方の分割金型と第２シート状樹脂の間の空気を減圧することによって第２シート状樹脂を他方の分割金型の金型キャビティに密着させる。各シート状樹脂を密着させた分割金型間に中間金型を介在させ、型締めする。中間金型は、各分割金型の金型キャビティの外周縁の外側に沿って突き当てられる突出部を有する。【選択図】  図５
2020055295.tif 000002
【特許請求の範囲】
【請求項１】
押出機より押出された溶融状態の第１のシート状樹脂および第２のシート状樹脂をそのまま下方に垂下させて分割金型間に配置し、
一方の分割金型と第１シート状樹脂の間の空気を減圧することによって第１シート状樹脂を一方の分割金型の金型キャビティに密着させるとともに、他方の分割金型と第２シート状樹脂の間の空気を減圧することによって第２シート状樹脂を他方の分割金型の金型キャビティに密着させ、
各シート状樹脂を密着させた分割金型間に中間金型を介在させ、型締めすることを特徴とする成形方法。
【請求項２】
前記中間金型は、前記各分割金型の金型キャビティの外周縁の外側に沿って突き当てられる突出部を有することを特徴とする請求項１記載の成形方法。
【請求項３】
前記中間金型の形状が環状であることを特徴とする請求項１または２記載の成形方法。
【請求項４】
各分割金型の外周部に形成した型枠を前記中間金型との突き当て面よりも突出した状態で各シート状樹脂に当接させて密閉空間を形成して、各分割金型とシート状樹脂の間の空気を減圧することを特徴とする請求項１から３のいずれか１項記載の成形方法。
【請求項５】
押出機より押出された溶融状態のシート状樹脂を下方に垂下させて成形用金型と閉空間形成用金型の間に配置し、成形用金型とシート状樹脂の間の空気を減圧することによってシート状樹脂を成形用金型の金型キャビティに密着させるに際し、
閉空間形成用金型の成形用金型との対向面に複数のフィンを略並列に配列形成し、これらフィンにより分割された各領域において、当該閉空間形成用金型側からエアーによる冷却を行うことを特徴とする成形方法。
【請求項６】
前記フィンにより分割された各領域において、閉空間形成用金型の一端側にエアーの吹き出し口を設け、多端側にエアーの排気口を設けることを特徴とする請求項５記載の成形方法。
【請求項７】
押出機より押出された溶融状態の第１のシート状樹脂および第２のシート状樹脂をそのまま下方に垂下させて分割金型間に配置し、
一方の分割金型と第１シート状樹脂の間の空気を減圧することによって第１シート状樹脂を一方の分割金型の金型キャビティに密着させるとともに、他方の分割金型と第２シート状樹脂の間の空気を減圧することによって第２シート状樹脂を他方の分割金型の金型キャビティに密着させ、
各シート状樹脂を密着させた分割金型間に各分割金型との対向面に複数のフィンを略並列に配列形成した中間金型を介在させ、型締めした後、中間金型側からエアーによる冷却を行うことを特徴とする成形方法。
【請求項８】
前記フィンにより分割された各領域において、中間金型の一端側にエアーの吹き出し口を設け、多端側にエアーの排気口を設けることを特徴とする請求項７記載の成形方法。
【発明の詳細な説明】
【技術分野】
【０００１】
本発明は、樹脂シートを真空成形する成形方法に関するものであり、特に、効率的に成形品を成形し得る成形方法に関する。
【背景技術】
【０００２】
各種成形品を成形する方法として、樹脂シートを熱成形（真空成形）する方法が知られている。例えば、特許文献１には、加熱軟化した成形用シートを成形面に凹凸を有する成形型に真空吸引手段により吸引当接させて成形するシートの真空成形方法が開示されており、シートを必要以上に伸びないようにして薄肉化を防止する技術が提案されている。
【０００３】
この種の真空成形方法では、樹脂を予めシート化しておき、成形時に加熱することにより軟化した成形用シートを横置きにして成形を行うのが一般的であるが、より効率的な成形を実現するため、押出による一次成形と、真空による二次成形とを組み合わせた成形方法も提案されている。このような成形方法によれば、押出された溶融状態の樹脂シートをそのまま利用して、真空成形することにより、いったん成形した樹脂を再加熱することに起因する加熱の不均一性等の技術的問題点を引き起こすことなしに、成形品を成形することが可能である。
【０００４】
特に、押出された溶融状態の樹脂シートをそのまま下方に垂下させ、鉛直方向に延びる樹脂シートを型締することにより真空成形することにより、たとえば樹脂を横方向に押出する場合に比べて、二次成形の型締まで溶融状態の樹脂シートを支持する必要なしに非接触状態で押出ダイより送り出すことが可能である。
【先行技術文献】
【特許文献】
【０００５】
【特許文献１】特開２００３−２６０７３１号公報
【発明の概要】
【発明が解決しようとする課題】
【０００６】
近年、プラスチック成形の分野においては、成形効率の一層の向上が求められており、押出された溶融状態の樹脂シートをそのまま下方に垂下させ、鉛直方向に延びる樹脂シートを型締することにより真空成形する方法においても、その改良が望まれている。
【０００７】
本発明は、前述の従来の実情に鑑みて提案されたものであり、成形効率を著しく向上することが可能な成形方法を提供することを目的とする。
【課題を解決するための手段】
【０００８】
前述の目的を達成するために、本願の第１の発明の成形方法は、押出機より押出された溶融状態の第１のシート状樹脂および第２のシート状樹脂をそのまま下方に垂下させて分割金型間に配置し、一方の分割金型と第１シート状樹脂の間の空気を減圧することによって第１シート状樹脂を一方の分割金型の金型キャビティに密着させるとともに、他方の分割金型と第２シート状樹脂の間の空気を減圧することによって第２シート状樹脂を他方の分割金型の金型キャビティに密着させ、各シート状樹脂を密着させた分割金型間に中間金型を介在させ、型締めすることを特徴とする。
【０００９】
本願の第１の発明の成形方法では、２枚のシート状樹脂を２つの分割金型により同時に真空成形しているので、１枚のシート状樹脂を成形する場合に比べて、２倍の成形効率が得られる。また、真空成形においては、成形品の周囲に残存するバリの処理が問題になるが、本発明の成形方法では、中間金型を介在させて型締めしているので、各分割金型に周囲において、シート状樹脂が食い切られる形になり、バリの処理も容易である。
【００１０】
一方、押出された溶融状態の樹脂シートをそのまま下方に垂下させ、鉛直方向に延びる樹脂シートを型締することにより真空成形する方法では、例えば凹型の成形品を成形する場合、冷却の不均一さから成形品が変形する等の不都合が生ずることがある。真空成形において、分割された金型を用いる場合、シート状樹脂の金型に賦形されていない面を冷却する手法としては、パーティングラインによって区切られた閉空間全体に対して、冷媒の出入り口を１〜２系統程度設け、対流を起こさせることが考えられる。しかしながら、この場合には流体（冷媒）の流れを規制することができず、場所により流体速度の不均一が生じ易く、また、淀み点の発生等により全体を均一に冷却することができない。
【００１１】
このような不都合を解消するために案出されたのが、本願の第２の発明である。すなわち、本願の第２の発明の成形方法は、押出機より押出された溶融状態のシート状樹脂を下方に垂下させて成形用金型と閉空間形成用金型の間に配置し、成形用金型とシート状樹脂の間の空気を減圧することによってシート状樹脂を成形用金型の金型キャビティに密着させるに際し、閉空間形成用金型の成形用金型との対向面に複数のフィンを略並列に配列形成し、これらフィンにより分割された各領域において、当該閉空間形成用金型側からエアーによる冷却を行うことを特徴とする。
【００１２】
さらに、本願の第２の発明の構成を本願の第１の発明の構成と組み合わせることも可能である。これが本願の第３の発明である。すなわち、本願の第３の発明の成形方法は、押出機より押出された溶融状態の第１のシート状樹脂および第２のシート状樹脂をそのまま下方に垂下させて分割金型間に配置し、一方の分割金型と第１シート状樹脂の間の空気を減圧することによって第１シート状樹脂を一方の分割金型の金型キャビティに密着させるとともに、他方の分割金型と第２シート状樹脂の間の空気を減圧することによって第２シート状樹脂を他方の分割金型の金型キャビティに密着させ、各シート状樹脂を密着させた分割金型間に各分割金型との対向面に複数のフィンを略並列に配列形成した中間金型を介在させ、型締めした後、中間金型側からエアーによる冷却を行うことを特徴とする。
【００１３】
本願の第２の発明及び第３の発明の成形方法では、整流のためのフィンを設けて冷媒（エアー）による冷却を行っているので、フィンによって規制された空間に冷媒が流される形になり、冷媒の速度が向上されることや冷媒の流れを乱流にし易いこと等が相俟って、シート状樹脂の金型に賦形されていない面がより均一にかつ速やかに冷却され、精度の高い真空成形が実現される。
【発明の効果】
【００１４】
本願の第１の発明によれば、１枚ずつシート状樹脂を成形する方法に比べて、成形効率を著しく向上することが可能な成形方法を提供することが可能である。また、本発明によれば、バリの処理も容易であり、この点においても成形効率を向上することができる。
【００１５】
本願の第２の発明によれば、冷却の不均一性に起因する変形の発生を抑えることができ、精度の高い真空成形を実現することが可能である。
【図面の簡単な説明】
【００１６】
【図１】第１の実施形態の成形方法における成形工程を工程順に示す図であり、シート状樹脂を垂下させる工程を示す図である。
【図２】型枠を前進させ、型枠にシート状樹脂を吸着させる工程を示す図である。
【図３】型枠を後退させ、金型キャビティ内の吸引を開始する工程を示す図である。
【図４】真空吸引によるシート状樹脂の賦形工程を示す図である。
【図５】型締め工程を示す図である。
【図６】取り出した成形品を示す図である。
【図７】第２の実施形態の成形方法における成形工程を工程順に示す図であり、シート状樹脂を垂下させる工程を示す図である。
【図８】真空吸引及びエアーによる冷却によるシート状樹脂の賦形工程を示す図である。
【図９】閉空間形成用金型の成形用金型との対向面を示す概略正面図である。
【図１０】成形用金型と閉空間形成用金型の型閉状態における横断面を示す概略断面図である。
【図１１】第３の実施形態の成形方法における成形工程を工程順に示す図であり、シート状樹脂を垂下させる工程を示す図である。
【図１２】真空吸引及びエアーによる冷却によるシート状樹脂の賦形工程を示す図である。
【図１３】インナーリブを形成する成形方法の一例を示すものである。
【図１４】インナーリブを形成する成形方法の他の例を示すものである。
【発明を実施するための形態】
【００１７】
以下、本発明を適用した成形方法の実施形態について、図面を参照しながら詳細に説明する。
【００１８】
（第１の実施形態）
本実施形態の成形方法は、押出機より押出された２枚のシート状樹脂を、金型キャビティを互いに対向して配置された２つの分割金型により同時に真空成形するものである。したがって、一度の型締めにより２つの成形品を同時に成形することができ、通常の真空成形に比べて２倍の成形効率を実現することができる。
【００１９】
ここで、先ず本実施形態の成形に用いられる成形装置について説明すると、成形装置は、図１に示すように、押出機１を２基備えており、これら押出機１からそれぞれシート状樹脂が垂下する形で押し出される。
【００２０】
各押出機１は、従来既知のタイプであり、その詳しい説明は省略するが、ホッパー１１が付設されたシリンダー１２と、シリンダー１２内に設けられたスクリュー（図示せず）と、スクリューに連結された油圧モーター１３と、シリンダー１２と内部が連通したアキュムレータ１４と、アキュムレータ１４内に設けられたプランジャー１５とを有し、ホッパー１１から投入された樹脂ペレットが、シリンダー１２内で油圧モーター１３によるスクリューの回転により溶融、混練され、溶融状態の樹脂がアキュムレータ１４に移送されて一定量貯留され、プランジャー１５の駆動によりＴダイ１６に向けて溶融樹脂を送り、押出スリット１７を通じて連続的なシート状樹脂が押し出され、間隔を隔てて配置された一対のローラー１８によって挟圧されながら下方へ向かって送り出される。
【００２１】
押出機１の下方には、２つの分割金型２１、２２が金型キャビティ２１Ａ、２２Ａが互いに対向するように配置され、さらに、これら２つの分割金型２１、２２に中間金型２３が配置されている。各分割金型２１、２２には、金型キャビティ２１Ａ、２２Ａの内面（成形面）に臨む形で複数の真空吸引孔２１Ｂ、２２Ｂが形成されている。また、各分割金型２１、２２の外周部には、型枠３１、３２が進退自在に設置されている。なお、型枠３１、３２にもそれぞれ真空吸引孔３１Ａ、３２Ａがシート状樹脂と接する面に臨んで設けられている。
【００２２】
中間金型２３は、一方の突き当て面２３Ａが分割金型２１と当接し、他方の突き当て面２３Ｂが分割金型２２と当接するものであり、各突き当て面２３Ａ、２３ｂには、各分割金型２１、２２の金型キャビティ２１Ａ、２２Ａの外周縁の外側に沿って突き当てられる突出部２３Ｃ、２３Ｄを有している。中間金型２３の突出部２３Ｃ、２３Ｄが分割金型２１、２２の金型キャビティ２１Ａ、２２Ａの外側に突き当てられ、シート状樹脂が挟み込まれることで、成形されたシート状樹脂の外周部分が食い切られる形になり、成形品の外側のバリの除去が容易なものとなる。
【００２３】
また、本実施形態において、中間金型２３は、分割金型２１、２２の金型キャビティ２１Ａ、２２Ａの形状に応じて、その外周形状に対応した環状の構造を有している。すなわち、中間金型２３は、その中央部分がくり抜かれた形状をしている。このように中間金型２３を中空の環状構造とすることにより、金型原料の削減によるコストの削減や、成形装置の軽量化に繋がるという利点を有する。
【００２４】
なお、前述の成形装置は、真空成形を基本とするものであり、したがって、中間金型２３にはエアーの吹き出し機構等の特別な機構は不要である。
【００２５】
次に、本実施形態の成形方法における成形工程について、工程順に説明する。
【００２６】
本実施形態の成形方法では、先ず、図１に示すように、各押出機１の押出スリット１７から連続的にシート状樹脂Ｓ１、Ｓ２を押し出す。押し出されたシート状樹脂Ｓ１、Ｓ２においては、それぞれのシート状樹脂Ｓ１、Ｓ２の押出速度に応じて、この押出速度と、シート状樹脂Ｓ１、Ｓ２が一対のローラー１８により下方に送り出される送り出し速度との相対速度差を一対のローラー１８の回転速度を調整することにより調整し、シート状樹脂Ｓ１、Ｓ２が一対のローラー１８の間を通過する際、一対のローラー１８により下方に引っ張られ、それによりシート状樹脂Ｓ１、Ｓ２が延伸薄肉化され、その結果、ドローダウンあるいはネックインの発生を有効に防止するようにしている。なお、一対のローラー１８の回転数の調整とともに、押出スリット１７の間隔の調整を連動して行ってもよい。
【００２７】
シート状樹脂Ｓ１、Ｓ２に使用される熱可塑性プラスチック材料は、任意であるが、例示するならば、例えばポリエチレン樹脂、ポリプロピレン樹脂、エチレン−酢酸ビニル共重合体、塩化ビニル樹脂、ＡＢＳ樹脂（アクリロニトリル−スチレン−ブタジエン樹脂）、ポリアミド樹脂、ポリスチレン樹脂、ポリエステル樹脂、さらにはポリカーボネート、変性ポリフェニレンエーテル等のエンジニアリングプラスチックス等を挙げることができる。また、発泡樹脂等も使用可能である。
【００２８】
各押出機１の押出スリット１７から押し出され、延伸薄肉化されたシート状樹脂Ｓ１、Ｓ２は、各分割金型２１、２２と中間金型２３の間に垂下される。この時点では、各分割金型２１、２２に設けられた型枠３１、３２は、後退した状態である。すなわち、各型枠３１、３２の先端面は、分割金型２１，２２の対向面と概ね面一の状態である。
【００２９】
次いで、図２に示すように、分割金型２１、２２のそれぞれの型枠３１、３２を前進させ（すなわち、シート状樹脂Ｓ１、Ｓ２に向かって移動させ）、各シート状樹脂Ｓ１、Ｓ２の主面に当接させる。この時、各型枠３１、３２に設けられた真空吸引孔３１Ａ、３２Ａにより真空吸引を行い、各シート状樹脂Ｓ１、Ｓ２を型枠３１、３２に吸着させる。これにより、それぞれのシート状樹脂Ｓ１、Ｓ２、対応する型枠３１、３２及び金型キャビティ２１Ａ、２２Ａにより、密閉空間が形成される。
【００３０】
続いて、図３に示すように、シート状樹脂Ｓ１、Ｓ２を吸着した状態で型枠３１、３２を元の位置まで後退させ、シート状樹脂Ｓ１、Ｓ２を分割金型２１、２２に当接させた後、分割金型２１、２２の金型キャビティ２１Ａ、２２Ａに設けられた金型真空吸引孔２１Ｂ、２２Ｂからの吸引を開始する。
【００３１】
密閉空間（金型キャビティ２１Ａ、２２Ａ）内の空気を各分割金型２１、２２の金型キャビティ２１Ａ、２２Ａに設けられた金型真空吸引孔２１Ｂ、２２Ｂから吸引することにより、図４に示すように、各シート状樹脂Ｓ１、Ｓ２はそれぞれ対応する金型キャビティ２１Ａ、２２Ａの内面に吸着され、それによりシート状樹脂Ｓ１、Ｓ２はそれぞれ、対応する金型キャビティ２１Ａ、２２Ａの内面（成形面）に沿った形状に賦形される。
【００３２】
次に、図５に示すように、前記分割金型２１、２２及び中間金型２３からなる成形用金型の型締めを行う。型締めにより分割金型２１，２２は中間金型２３を介して突き合わされる。すなわち、中間金型２３の一方の突き当て面２３Ａが分割金型２１と当接し、他方の突き当て面２３Ｂが分割金型２２と当接する。その結果、中間金型２３の一方の突き当て面２３Ａと分割金型２１の間にシート状樹脂Ｓ１が挟み込まれ、中間金型２３の他方の突き当て面２３Ｂと分割金型２２の間にシート状樹脂Ｓ２が挟み込まれることになるが、中間金型２３の各突き当て面２３Ａ、２３ｂには、各分割金型２１、２２の金型キャビティ２１Ａ、２２Ａの外周縁の外側に沿って突き当てられる突出部２３Ｃ、２３Ｄを有していることから、挟み込まれた各シート状樹脂Ｓ１，Ｓ２は、これら突出部２３Ｃ、２３Ｄにより食い切られる形となる。
【００３３】
図６は、金型から取り出した成形品４１、４２を示すものである。シート状樹脂Ｓ１，Ｓ２が分割金型２１、２２の金型キャビティ２１Ａ、２２Ａで賦形されて形成された成形品４１、４２は、その外周部分にバリｂを有するが、前記突出部２３Ｃ、２３Ｄによる食い切りにより、厚さの薄い食い切り部４１ａ、４２ａが形成されている。この食い切り部４１ａ、４２ａは、簡単に切除することができ、外周部分のバリｂを容易に脱落させることができる。
【００３４】
前述の実施形態においては、１枚のシート状樹脂を成形する場合に比べて、２倍の効率で成形を行うことができる。また、成形後のバリ取りも容易である。これらの効果が相俟って、中間金型を介在させるという簡易な変更にも関わらず、成形効率の大幅な向上が可能である。
【００３５】
（第２の実施形態）
本実施形態の成形方法は、押出機より押出されたシート状樹脂を、成形用金型で真空成形する際に、成形用金型に突き合わせて閉空間を形成するための閉空間形成用金型に整流用のフィンを設け、均一な冷却を実現するものである。
【００３６】
本実施形態で用いられる成形装置は、図７に示すように、押出機１を備えており、押出機１０１からシート状樹脂が垂下する形で押し出される。押出機１０１は、ホッパー１１１が付設されたシリンダー１１２と、シリンダー１１２内に設けられたスクリュー（図示せず）と、スクリューに連結された油圧モーター１１３と、シリンダー１１２と内部が連通したアキュムレータ１１４と、アキュムレータ１１４内に設けられたプランジャー１１５とを有する。ホッパー１１１から投入された樹脂ペレットは、シリンダー１１２内で油圧モーター１１３によるスクリューの回転により溶融、混練され、溶融状態の樹脂がアキュムレータ１１４に移送されて一定量貯留される。その後、プランジャー１１５の駆動によりＴダイ１１６に向けて溶融樹脂を送り、押出スリット１１７を通じて連続的なシート状樹脂Ｓが押し出され、間隔を隔てて配置された一対のローラー１１８によって挟圧されながら下方へ向かって送り出される。
【００３７】
押出機１０１の下方には、成形用金型１２２と閉空間形成用金型１４０が互いに対向するように配置されている。成形用金型１２２には、金型キャビティ１２２Ａの内面（成形面）に臨む形で複数の真空吸引孔１２２Ｂが形成されている。また、成形用金型１２２の外周部には、型枠１３２が進退自在に設置されている。なお、型枠１３２にも真空吸引孔１３２Ａがシート状樹脂Ｓと接する面に臨んで設けられている。
【００３８】
閉空間形成用金型１４０は、成形用金型１２２と当接して閉空間を構成するものであり、閉空間形成用金型１４１が成形用金型１２２に突き当てられ、シート状樹脂Ｓが挟み込まれることで、成形されたシート状樹脂Ｓの外周部分が食い切られる形になり、成形品の外側のバリの除去が容易なものとなる。
【００３９】
図８は、シート状樹脂Ｓの賦形工程を示す図であり、シート状樹脂Ｓは成形用金型１２２のキャビティ１２２Ａの内面に吸着され、金型キャビティ１２２Ａの内面（成形面）に沿った形状に賦形される。さらに、成形用金型１２２に閉空間形成用金型１４０を突き当てて型締めを行い、閉空間形成用金型１４０から冷却用のエアーを賦形されたシート状樹脂Ｓの成形用金型１２２と接する面とは反対側の面に吹き付けて冷却する。
【００４０】
この時、閉空間形成用金型１４０の成形用金型１２２との対向面に複数のフィン１４１を配列形成しておき、成形用金型１２２に閉空間形成用金型１４０を突き当てることで形成される閉空間をこれらフィン１４１で細長い空間に分割する。これにより冷却効率の向上や冷却の均一化が図られる。
【００４１】
図９は、閉空間形成用金型１４０の成形用金型１２２との対向面を示すものであり、当該対向面には、シート状樹脂Ｓが垂下される方向に沿って、複数（本例では３枚）のフィン１４１が略並列に配列形成されている。これにより、成形用金型１２２に閉空間形成用金型１４０を突き当てることで形成される閉空間は、図１０に示すように、４つの空間に分割される。そして、分割された各空間には、シート状樹脂Ｓが垂下される方向おいて、閉空間形成用金型１４０の上方位置にエアーを供給するエアー供給口１４２が形成され、閉空間形成用金型１４０の下方位置にエアーの出口となるエアー排出口１４３が形成されている。
【００４２】
前記フィン１４１は、整流板としての役割を果たし、図８や図１０に示すように、閉空間形成用金型１４０の上方位置に設けたエアー供給口１４２から供給されるエアーは、整流された状態でフィン１４１により分割された細長い空間を下方に向かって流通し、閉空間形成用金型１４０の下方位置に形成されたエアー排出口１４３から排出される。
【００４３】
以上のように閉空間形成用金型１４０にフィン１４１を設け、成形用金型１２２に閉空間形成用金型１４０を突き当てることで形成される閉空間を細長い空間に分割することで、エアーの流れが均一になり、シート状樹脂Ｓが均一に冷却される。その結果、シート状樹脂Ｓが成形されることで得られる成形品における変形の発生が抑えられ、精度の高い真空成形が実現される。
【００４４】
なお、本実施形態の成形方法では、フィン１４１により分割された細長い空間において、上方から下方に向かってエアーが流通するようにしたが、逆に下方から上方に向かってエアーが流通してもよい。さらには、フィン１４１により分割された細長い空間において、エアーの流通する方向を交互に反対方向としてもよい。
【００４５】
（第３の実施形態）
本実施形態は、第１の実施形態の成形方法に第２の実施形態の成形方法を適用したものである。第１の実施形態との相違は、中間金型を各分割金型と閉空間を形成する閉空間形成用金型とし、各分割金型との対向面にフィンを設けたことである。
【００４６】
図１１及び図１２は、本実施形態における成形方法を説明するための図である。なお、先の第１の実施形態で説明した部材と同一の部材については、先の第１の実施形態と同一の符号を付して、その説明は省略する。
【００４７】
本実施形態の特徴的事項は、前述の通り、中間金型２３を各分割金型２１，２２と閉空間を形成する閉空間形成用金型とし、各分割金型２１，２２との対向面にフィン５１を設けたことである。
【００４８】
この点について詳述すると、先の第１の実施形態では、中間金型２３は円環状であったが、本実施形態では、中間金型２３は、各分割金型２１，２２と対向する面に閉空間を形成するための凹部が設けられており、分割金型２１，２２の間に中間金型２３を挟み込んで型締めした際には、中間金型２３の一方の面と分割金型２１により閉空間が形成され、中間金型２３の他方の面と分割金型２２により閉空間が形成される。
【００４９】
そして、中間金型２３の分割金型２１との対向面、及び中間金型２３の分割金型２２との対向面には、それぞれ複数のフィン５１が配列形成されている。各分割金型２１，２２との対向面において、シート状樹脂Ｓが垂下される方向に沿って複数（本例では３枚）のフィン５１が略並列に配列形成されていることは先の第２の実施形態と同様である。
【００５０】
また、分割された各空間には、シート状樹脂Ｓが垂下される方向おいて、上方位置にエアーを供給するエアー供給口５２が形成され、下方位置にエアーの出口となるエアー排出口５３が形成されていることも先の第２の実施形態と同様である。ただし、本実施形態の場合、中間金型２３の両面からエアーを供給する必要があることから、中間金型２３の上端面中央にエアー供給口５２が形成され、そこから分岐する形で各分割金型２１，２２との対向面に開口部５２ａが形成されている。同様に、中間金型２３の下端面中央にエアー排気口５３が形成され、そこから分岐する形で各分割金型２１，２２との対向面に開口部５３ａが形成されている。
【００５１】
このように中間金型２３を閉空間形成用金型とし、各分割金型２１，２２との対向面にフィン５１を形成することで、各シート状樹脂Ｓ１，Ｓ２の成形において、図１２に示すように、エアーが整流された状態でフィン５１により分割された細長い空間を下方に向かって流通し、第２の実施形態と同様の効果が得られる。その結果、成形効率の大幅な向上と精度の高い真空成形とを同時に実現することが可能である。
【００５２】
（第４の実施形態）
本実施形態は、閉空間形成用金型や中間金型にフィンを設ける代わりに、シート状樹脂にリブを設け、これをフィンとして利用し効率的な冷却を実現しようとするものである。
【００５３】
ただし、リブを整流板として利用する場合には、高さの高いリブを形成する必要がある。しかしながら、溶融状態のシート状樹脂を成形して高さの高いリブを形成しようとすると、硬化する前に倒れてしまう等の不都合が発生するおそれがある。
【００５４】
そこで、本実施形態では、例えば図１３に示すように、シート状樹脂Ｓを賦形するための成形用金型２０１から突き出しピン２０３を突き出してリブを形成する際に、対向する閉空間形成用金型２０２にスリット２０２Ａを設けておき、突き出しピン２０３を突き出すことにより形成されるリブの先端をこのスリット２０２Ａで挟み込んで支持し、突き出しピン２０３を後退させてもリブが倒れ込まないようにしている。
【００５５】
図１４は変形例であり、本例では、閉空間形成用金型２０２にインサート部品２０４を装着しておき、ここに突き出しピン２０３を突き出すことにより形成されるリブの先端を溶着させて支持するようにしている。インサート部品２０４は、例えば射出成形品や発泡成形体等である。
【００５６】
いずれの場合にも高さの高いリブを形成することが可能であり、これらリブをフィンの代わりに整流板として利用することが可能である。閉空間内はリブにより分割され、効率的な冷却が実現される。なお、前記リブで分割される各空間において、閉空間形成用金型２０２にエアー供給口やエアー排気口を設けることは、先の第２の実施形態や第３の実施形態と同様である。
【００５７】
以上、本発明の実施形態について説明してきたが、本発明がこの実施形態に限定されるものではなく、本発明の要旨を逸脱しない範囲で種々の変更が可能であることは言うまでもない。例えば、先の第１の実施形態において、中間金型２３を中空の環状金型としたが、これに限らず、中空ではない（いわゆる中実の）金型であってもよい。
【符号の説明】
【００５８】
１，１０１  押出機
１１，１１１  ホッパー
１２，１１２  シリンダー
１３，１１３  油圧モーター
１４，１１４  アキュムレータ
１５，１１５  油圧シリンダー
１６，１１６  Ｔダイ
１７，１１７  押出スリット
１８，１１８  ローラー
２１、２２  分割金型
２１Ａ、２２Ａ  金型キャビティ
２１Ｂ、２２Ｂ  真空吸引孔
２３  中間金型
２３Ｃ、２３Ｄ  突出部
３１，３２  型枠
３１Ａ，３２Ａ  真空吸引孔
４１、４２  成形品
４１ａ、４２ａ  食い切り部
ｂ  バリ
５１  フィン
１２２  成形用金型
１４０  閉空間形成用金型
１４１  フィン
１４２  エアー供給口
１４３  エアー排出口
２０１  成形用金型
２０２  閉空間形成用金型
２０２Ａ  スリット
２０４  インサート部品
【図１】
2020055295.tif 000003
【図２】
2020055295.tif 000004
【図３】
2020055295.tif 000005
【図４】
2020055295.tif 000006
【図５】
2020055295.tif 000007
【図６】
2020055295.tif 000008
【図７】
2020055295.tif 000009
【図８】
2020055295.tif 000010
【図９】
2020055295.tif 000011
【図１０】
2020055295.tif 000012
【図１１】
2020055295.tif 000013
【図１２】
2020055295.tif 000014
【図１３】
2020055295.tif 000015
【図１４】
2020055295.tif 000016